【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
温度調節アセンブリであって、
乗員を支持するように構成された支持面を有する支持部材と、
前記支持部材の前記支持面に隣接する空気を吸い込むように構成された送風機と、
前記支持部材上に配置され、主要側と廃棄側とを含む熱電デバイスと、
前記熱電デバイスの前記廃棄側に伝導的に結合された熱交換器と、
前記熱電デバイスの前記主要側に伝導的に結合され、少なくとも一部が前記支持部材の前記支持面に沿って延びる導電部材と、を有し、
動作時に、前記熱電デバイスが前記導電部材を冷却するのと同時に、前記送風機が前記支持面に隣接する空気を吸い込む、温度調節アセンブリ。
【請求項２】
前記支持部材の内部の流路をさらに有し、前記流路が、前記支持面から前記支持部材の一部を貫通して延び、前記送風機が、前記支持部材の前記支持面に隣接する空気を前記流路内に引き込むように構成されている、請求項１に記載の温度調節アセンブリ。
【請求項３】
前記熱電デバイスおよび前記熱交換器が、前記流路内に少なくとも部分的に配置されている、請求項２に記載の温度調節アセンブリ。
【請求項４】
前記支持部材が、車両用のシートまたはベッドである、請求項１から３のいずれか１項に記載の温度調節アセンブリ。
【請求項５】
前記支持部材の前記支持面を通して空気が吸い込まれる、請求項１から４のいずれか１項に記載の温度調節アセンブリ。
【請求項６】
前記送風機は前記熱交換器を横切って空気を吸い込むように構成されており、前記熱交換器を横切って吸い込まれる空気は、前記支持部材の前記支持面を通して吸い込まれる空気と同じ空気である、請求項５に記載の温度調節アセンブリ。
【請求項７】
前記支持部材の前記支持面に隣接して吸い込まれる空気は、少なくとも一部が前記支持面に沿って前記支持部材の内部で側方に向けられている、請求項１から６のいずれか１項に記載の温度調節アセンブリ。
【請求項８】
前記支持面に隣接して吸い込まれる空気は、前記支持部材の側面に沿って吸い込まれる、請求項１から７のいずれか１項に記載の温度調節アセンブリ。
【請求項９】
前記支持部材の一部を通って延びる流路をさらに有し、前記流路は、隣接する前記支持面から前記支持部材の前記一部を通るように空気を導くように構成されており、前記流路は、前記支持部材の側面に沿って位置している、請求項１から８のいずれか１項に記載の温度調節アセンブリ。
【請求項１０】
前記流路は、隣接する前記支持面から前記熱交換器へ空気を導いて、前記熱交換器を横切って吸い込まれる空気が、前記支持面に隣接して吸い込まれる空気と同じ空気であるように構成されている、請求項９に記載の温度調節アセンブリ。
【請求項１１】
第１の流体ゾーンと第２の流体ゾーンとを有し、前記第１の流体ゾーンは、前記熱電デバイスと、前記熱交換器と、前記導電部材と、を含み、前記支持面に隣接して吸い込まれる空気の少なくとも一部は、前記第１の流体ゾーンを通って導かれ、前記支持面に隣接して吸い込まれる空気の、他の少なくとも一部は、前記第２の流体ゾーンを通って導かれる、請求項１から１０のいずれか１項に記載の温度調節アセンブリ。
【請求項１２】
温度調節アセンブリであって、
乗員を支持するように構成された第１の表面を有する支持部材と、
前記支持部材の内部の流路であって、前記第１の表面から前記支持部材の一部を貫通して延び、空気を前記第１の表面から前記支持部材の前記一部を通って前記流路内に導く流路と、
前記流路内に配置された熱電デバイスと、
前記熱電デバイスの第１の側に伝導的に結合され、前記流路内に配置された熱交換器と、
前記熱電デバイスの第２の側に伝導的に結合され、一部が前記支持部材の前記第１の表面に沿って延びる少なくとも１つの導電部材と、を有する温度調節アセンブリ。
【請求項１３】
前記支持部材の内部で前記第１の表面と前記流路との間に配置された凹部と、前記凹部内に配置された透過性部材と、をさらに有する、請求項１２に記載の温度調節アセンブリ。
【請求項１４】
前記支持部材の前記第１の表面上に配置されたコンフォート層をさらに有し、前記少なくとも１つの導電部材が、前記透過性部材と前記コンフォート層との間に配置されている、請求項１２または１３に記載の温度調節アセンブリ。
【請求項１５】
前記第１の表面から吸い込まれる空気は、前記第１の表面を通って前記流路内に吸い込まれるとともに、前記熱交換器を通って前記流路内に吸い込まれる、請求項１２から１４のいずれか１項に記載の温度調節アセンブリ。
【請求項１６】
前記支持部材の前記第１の表面から吸い込まれる空気は、少なくとも一部が前記第１の表面に沿って前記支持部材の内部で側方に向けられている、請求項１２から１５のいずれか１項に記載の温度調節アセンブリ。
【請求項１７】
前記流路は、前記支持部材の側面に沿って位置している、請求項１２から１６のいずれか１項に記載の温度調節アセンブリ。
【請求項１８】
支持面を画定する支持構造体を含む支持アセンブリを熱的に調整する方法であって、
主要側と廃棄側とを含む熱電デバイスを動作させることと、
前記支持面に隣接する位置から、前記熱電デバイスの前記廃棄側に伝導的に結合された熱交換器を通じて空気を吸い込むことと、を含み
前記熱電デバイスを用いて、前記熱電デバイスの前記主要側に伝導的に結合され前記支持面に隣接して配置された導電部材を冷却することと、
前記支持面に隣接する位置から空気を吸い込む工程と前記導電部材を冷却する工程とを同時に実行することで、前記支持面を伝導的に冷却し、前記支持面のところで対流による調節と伝導的な調節の両方を行うことと、を含む方法。
【請求項１９】
前記導電部材が、前記支持面に沿って延びる可撓性の導電部材である、請求項１８に記載の方法。
【請求項２０】
温度調節デバイスであって、
主要側と廃棄側とを有し、空気を加熱または冷却するように構成された熱電デバイスと、
前記熱電デバイスの前記廃棄側に隣接する流れ経路を画定し、前記熱電デバイスの前記廃棄側に伝導的に結合された第１の熱交換器と、
前記熱電デバイスを越えて延び、前記熱電デバイスの前記主要側に伝導的に結合された可撓性の第１の導電部材と、を有し、
前記第１の熱交換器は、前記流れ経路を介して前記可撓性の第１の導電部材と流体連通している、温度調節デバイス。
【請求項２１】
前記第１の導電部材が、可撓性の織物材料である、請求項２０に記載の温度調節デバイス。
【請求項２２】
前記第１の導電部材の長さが、少なくとも５０ｍｍである、請求項２０または２１に記載の温度調節デバイス。
【請求項２３】
中間導電部材をさらに有し、前記可撓性の第１の導電部材が、前記中間導電部材に結合され、前記中間導電部材が、前記熱電デバイスに結合されている、請求項２０から２２のいずれか１項に記載の温度調節デバイス。
【請求項２４】
前記流れ経路を含む流路をさらに有し、前記流路は、前記可撓性の第１の導電部材と直接的に流体連通している、請求項２０から２３のいずれか１項に記載の温度調節デバイス。
【請求項２５】
支持面を画定する支持構造体を含む支持アセンブリに隣接する空間を熱的に調整する装置であって、
送風機と、
主要側と廃棄側とを含む熱電デバイスと、
前記熱電デバイスの前記廃棄側に伝導的に結合され、前記廃棄側に隣接して前記送風機によって吸い込まれた流体を受け取る流れ経路を画定する熱交換器と、
前記熱電デバイスから離れて配置され、前記熱電デバイスの前記主要側に伝導的に結合された可撓性導電部材と、を有し、
前記送風機が、前記支持部材の前記支持面に隣接する空気を吸い込んで、前記支持面上の乗員のところを対流によって調節し、前記導電部材は前記支持面上の乗員を伝導によって冷やすように構成されている、装置。